(57)【要約】【課題】釣針等の付属物の収容および引き出しが簡単で、収容後に釣針等の付属物や釣糸が解れて脱落してしまうのを好適に防止する。【解決手段】仕掛巻本体１０は、基部と、基部に開閉可能に設けられた蓋部とを有するケース２０内に回転可能に保持されるようになっており、蓋部は、ケース２０内に保持された仕掛巻本体１０のカバー部材１５の略全体が外部に臨む開口部２５を有しており、開口部２５は、カバー部材１５と同心円状に形成され、その内径Ｄ１は、カバー部材１５の外径Ｄ２よりも小さいことを特徴とする。【選択図】図３
2012152162.tif 000002
【特許請求の範囲】
【請求項１】
仕掛けの付属物を収容可能な凹所が形成された糸巻と、前記凹所の中央部に設けられた支持部を中心として揺動可能かつ前記支持部周りに回転不能に設けられ、当該凹所を閉じる姿勢、および任意位置を押圧されたときの揺動により、前記糸巻との間に前記付属物の挿通用隙間を形成する姿勢となる円板状のカバー部材と、を含んでなる仕掛巻本体を備え、
前記仕掛巻本体は、基部と、前記基部に開閉可能に設けられた蓋部とを有するケース内に回転可能に保持されるようになっており、
前記蓋部は、前記ケース内に保持された前記仕掛巻本体の前記カバー部材の略全体が外部に臨む開口部を有しており、
前記開口部は、前記カバー部材と同心円状に形成され、その内径は、前記カバー部材の外径よりも小さいことを特徴とする釣用仕掛巻。
【請求項２】
前記カバー部材と前記開口部の内周縁部とは、前記糸巻の軸心方向に間隔を空けて配置されており、前記開口部の内周縁部が、前記仕掛巻本体を指で回転操作するための回転操作ガイドとして機能することを特徴とする請求項１に記載の釣用仕掛巻。
【請求項３】
前記カバー部材は、係止手段により前記糸巻に対して回転不能に設けられており、
前記係止手段は、前記凹所の内壁に設けられ前記糸巻の軸心方向に延びるガイド部と、前記カバー部材に設けられ前記ガイド部に係止される案内部と、を備え、
前記案内部は、前記ガイド部に対して軸心方向に移動可能かつ前記カバー部材の径方向に移動不能に係止していることを特徴とする請求項１または請求項２に記載の釣用仕掛巻。
【発明の詳細な説明】
【技術分野】
【０００１】
本発明は、釣用の仕掛けを巻き込んで携帯することのできる釣用仕掛巻に関する。
【背景技術】
【０００２】
従来の釣用仕掛巻としては、特許文献１に開示されたものが知られている。この釣用仕掛巻では、フランジを有する糸巻の内側に凹所が設けられており、この凹所の中央部にカバー部材が揺動可能に支持された構成を有している。そして、カバー部材は、例えば、任意位置を押圧されたときの揺動によって、糸巻に対して傾斜するようになっており、この傾斜により、カバー部材と糸巻との間には、仕掛けの付属物を挿通することのできる隙間が形成されるようになっている。
【０００３】
このような釣用仕掛巻では、カバー部材と糸巻との間に形成される隙間を通じて凹所内に釣針等の付属物を収容して、糸巻に釣糸を巻き付けることができる。
【０００４】
また、糸巻をケース内に回転可能に保持するように構成した釣用仕掛巻も知られている（特許文献２参照）。
この釣用仕掛巻では、糸巻の上面に４つの蓋体が配置されており、各蓋体は、フランジ部の外周縁に連結部を介して連結されることで糸巻の上面に対して起倒可能に設けられている。
このような釣用仕掛巻によれば、蓋体を糸巻の上面から起こすことで凹所を露出させ、開口を通じて凹所内に釣針等の付属物を収容することができる。そして、ケース内に糸巻を装着して、これを回転操作することでケース内において糸巻を回転させることができ、これによって糸巻に釣糸を容易に巻き付けることが可能である。
【先行技術文献】
【特許文献】
【０００５】
【特許文献１】特許第３７４８３４５号公報
【特許文献２】実開平０９−２９９００７号公報
【発明の概要】
【発明が解決しようとする課題】
【０００６】
特許文献１に記載の釣用仕掛巻では、カバー部材の任意位置を押圧されたときの揺動によって隙間が形成されるようになっているので、釣針等の付属物を挿通する際の操作が行い易く付属物の収容が容易である。その一方で、釣用仕掛巻に対しては、収容後には凹所から釣針等の付属物が脱落することや釣糸が解れて脱落することを確実に防止して、利便性の向上を図りたいという要望があった。
【０００７】
その点、特許文献２に記載の釣用仕掛巻では、糸巻をケース内に保持することができるので、釣針等の付属物や釣糸が露出し難くなり、収容後に凹所から釣針等の付属物が脱落することや釣糸が解れて脱落することを好適に防止することができる。
しかしながら、特許文献２に記載の釣用仕掛巻では、蓋体をいちいち起倒させる操作を行うことで、凹所内に釣針等を収容する構成であるので、収容操作が煩雑であるとともに構成が複雑でコスト高になるという問題があった。
特に、鮎の友釣りに使用する仕掛けのように、鼻環、背針、逆針等といった種類の異なる複数の釣針等を有するものにあっては、収容操作がより一層煩雑であり利便性に劣るという問題があった。
【０００８】
本発明は、このような問題を解決するためになされたものであり、釣針等の付属物の収容および引き出しが簡単であるとともに、収容後に釣針等の付属物や釣糸が解れて脱落してしまうのを好適に防止することができる釣用仕掛巻を提供することを課題とする。
【課題を解決するための手段】
【０００９】
このような課題を解決する本発明の釣用仕掛巻は、仕掛けの付属物を収容可能な凹所が形成された糸巻と、前記凹所の中央部に設けられた支持部を中心として揺動可能かつ前記支持部周りに回転不能に設けられ、当該凹所を閉じる姿勢、および任意位置を押圧されたときの揺動により、前記糸巻との間に前記付属物の挿通用隙間を形成する姿勢となる円板状のカバー部材と、を含んでなる仕掛巻本体を備え、前記仕掛巻本体は、基部と、前記基部に開閉可能に設けられた蓋部とを有するケース内に回転可能に保持されるようになっており、前記蓋部は、前記ケース内に保持された前記仕掛巻本体の前記カバー部材の略全体が外部に臨む開口部を有しており、前記開口部は、前記カバー部材と同心円状に形成され、その内径は、前記カバー部材の外径よりも小さいことを特徴とする。
【００１０】
この釣用仕掛巻によれば、円板状のカバー部材の任意位置を押圧して、糸巻との間に付属物の挿通用隙間を形成する姿勢にカバー部材を揺動させることで、挿通用隙間を通じて仕掛けの付属物である釣針等を凹所に収容することができる。
カバー部材は、凹所の中央部に設けられた支持部を中心として揺動可能かつ支持部周りに回転不能に設けられているので、押圧操作時に、糸巻に対してカバー部材が回転してしまうことがない。
また、蓋部は、ケース内に保持された仕掛巻本体のカバー部材の略全体が外部に臨む開口部を有しているので、開口部を通じて仕掛巻本体のカバー部材の外周縁部に指を添えるようにして仕掛巻本体を回転操作することができる。
【００１１】
さらに、開口部は、カバー部材と同心円状に形成されており、その内径は、カバー部材の外径よりも小さいので、ケース内に仕掛巻本体を収容して開口部を通じて糸巻の軸心方向からカバー部材を目視すると、カバー部材の外周縁部には、周方向全体に亘って開口部の内周縁部が重なるように位置することとなる。したがって、ケース内に仕掛巻本体が収容された状態では、開口部の内周縁部に抑えられてカバー部材の揺動が規制されることとなる。
【００１２】
また、本発明は、前記カバー部材と前記開口部の内周縁部とは、前記糸巻の軸心方向に間隔を空けて配置されており、前記開口部の内周縁部が、前記仕掛巻本体を指で回転操作するための回転操作ガイドとして機能することを特徴とする。
【００１３】
この釣用仕掛巻によれば、開口部の内周縁部に指を当てるようにしながら内周縁部に沿って指を移動させるようにして仕掛巻本体を回転操作することができる。
【発明の効果】
【００１４】
本発明によれば、挿通用隙間を生じさせるためのカバー部材の押圧操作時に、糸巻に対してカバー部材が回転してしまうことがないので、押圧操作時のカバー部材の安定性がよくなり、所望の位置に挿通用隙間を生じさせることができ、釣針等の付属物の収容および引き出しが簡単で行い易い。したがって使い勝手のよい釣用仕掛巻が得られる。
また、蓋部に設けられた開口部の内径は、カバー部材の外径よりも小さくなっており、ケース内に仕掛巻本体が収容された状態では、開口部の内周縁部に抑えられてカバー部材の揺動が規制されることとなるので、これが邪魔になって糸巻との間に付属物の挿通用隙間が形成されなくなり、凹所内に収容された仕掛けの付属物である釣針等が凹所から脱落してしまうのを好適に防止できる。また、付属物が凹所から脱落してしまうのを防止できるので、糸巻に巻き付けられた釣糸も弛み難くなり、ケース内に仕掛巻本体が収容されていることと相俟って、釣糸が解れて（外れて）脱落してしまうのを好適に防止することができる。
【００１５】
また、カバー部材と開口部の内周縁部とが、糸巻の軸心方向に間隔を空けて配置され、開口部の内周縁部が、仕掛巻本体を指で回転操作するための回転操作ガイドとして機能する構成では、開口部の内周縁部に指を当てるようにしながら内周縁部に沿って指を移動させるようにして仕掛巻本体を回転操作することができるので、仕掛巻本体の回転操作が行い易くなり、糸巻に釣糸をスムーズに巻き付けることができる。したがって使い勝手のよい釣用仕掛巻が得られる。
【００１６】
また、係止手段をなす案内部が、ガイド部に対して軸心方向に移動可能かつカバー部材の径方向に移動不能に係止している構成では、カバー部材が径方向に移動不能である状態を維持したままカバー部材の揺動が許容され、糸巻との間に付属物の挿通用隙間が生じることとなるので、押圧操作時のカバー部材の安定性がよくなり、釣針等の付属物の収容および引き出しが簡単で行い易い。したがって使い勝手のよい釣用仕掛巻が得られる。
【図面の簡単な説明】
【００１７】
【図１】本発明の一実施形態に係る釣用仕掛巻を示した斜視図である。
【図２】ケースに仕掛巻本体を装着する際の様子を示した斜視図である。
【図３】（ａ）は本発明の一実施形態に係る釣用仕掛巻を示した平面図、（ｂ）は図３（ａ）におけるＡ−Ａ線拡大断面図（一部省略）、（ｃ）は図３（ａ）におけるＢ−Ｂ線拡大断面図（一部省略）である。
【図４】仕掛巻本体の分解斜視図である。
【図５】カバー部材を揺動させて凹所に付属物を収容する際の様子を示す斜視図である。
【図６】変形例の釣用仕掛巻を示した拡大断面図である。
【発明を実施するための形態】
【００１８】
以下、本発明に係る釣用仕掛巻の実施の形態について図面を参照しながら説明する。なお、説明において、「前後」、「左右」をいうときは、図１に示した方向を基準としている。
【００１９】
図１に示すように、本実施形態の釣用仕掛巻は、全体が円板状を呈しており、仕掛巻本体１０と、この仕掛巻本体１０を回転可能に保持して収容するケース２０とを備えている。
図２に示すように、仕掛巻本体１０は、有底円筒状（図３（ｂ）（ｃ）参照）を呈する糸巻１１と、この糸巻１１に揺動可能（傾斜揺動可能）に取り付けられたカバー部材１５とを備え、糸巻１１の内側には、仕掛けの付属物である釣針等を収容することが可能な平面視略円形の中空状の凹所１２（図３（ｂ）（ｃ）、図４参照、以下同じ）が形成されている。凹所１２は、開口縁部がカバー部材１５で閉じられるようになっている。糸巻１１およびカバー部材１５は、樹脂等によってそれぞれ一体的に設けられている。
【００２０】
糸巻１１は、図３（ｂ）、図４に示すように、外周部の上下にフランジ部１１ａ，１１ｂを有しており、これらのフランジ部１１ａ，１１ｂの間に釣糸が巻き付けられる溝部１１ｃを有している。
上側のフランジ部１１ａには、図４に示すように、凹所１２に連通する連通溝１１ｄが形成されている。連通溝１１ｄは、仕掛けの釣糸を挿通可能な溝幅を有しており、凹所１２内に仕掛けの付属物である釣針等を収容して、凹所１２からこの連通溝１１ｄを通じて糸巻１１の外部に付属物に接続された釣糸を引き出すことができる。
連通溝１１ｄの溝深さは、図３（ｂ）において破線で示すように、凹所１２がカバー部材１５で閉じられた状態において、溝部１１ｃと凹所１２との間がこの連通溝１１ｄを通じて連通する深さに切りこまれている。本実施形態では、フランジ部１１ａの周方向に等間隔（１２０度間隔）を置いて計３つの連通溝１１ｄが形成されている（図４参照）。
【００２１】
下側のフランジ部１１ｂは、図３（ｂ）に示すように、上側のフランジ部１１ａに比べて分厚く形成されており、その外周部には、複数の縦リブ１１ｅ（図４参照）が形成されている。
【００２２】
凹所１２は、糸巻１１の外形（フランジ部１１ａの外形）と同心円状とされた内壁面１２ａと、この内壁面１２ａに連続する略円形状の底面１２ｂとで囲われて縦断面略コ字状（図３（ｂ）参照）に形成されており、釣針等の付属物Ｆ（図５参照、以下同じ）を複数個同時に収容するのに十分な容積を備えている。
【００２３】
内壁面１２ａには、図４に示すように、糸巻１１の軸心方向に延びる係止手段としての半円柱状のガイド部１３が突設されている。本実施形態では、内壁面１２ａの周方向に等間隔（１２０度間隔）を置いて計３つのガイド部１３が設けられている。
なお、前記したフランジ部１１ａの連通溝１１ｄとガイド部１３とは、内壁面１２ａの周方向に交互に６０度間隔で配置されている。
【００２４】
凹所１２の底面１２ｂには、図３（ｃ）、図４に示すように、その中央部（糸巻１１の中央部）に、凹所１２の深さの略半分の突出高さを有する支持部１４が突設されている。支持部１４には、クリップ１６を介してカバー部材１５が取り付けられる。
支持部１４は、円筒部１４ａと、円筒部１４ａの上端部に設けられ、上面が平らに形成された折返し部１４ｂと、折返し部１４ｂの中央部に形成され、クリップ１６のピン１６ｂが挿通されて係止される係止孔１４ｅとを有している。
円筒部１４ａと折返し部１４ｂには、図４に示すように、平面視（図４では斜視で図示）で十字状に交差するように切欠き１４ｃが形成されている。切欠き１４ｃは、支持部１４の周りの底面１２ｂに及んでおり、これによって、支持部１４は、弾性変形により軸心方向へ変位可能となっている。
【００２５】
なお、底面１２ｂには、支持部１４を囲うように環状溝部１４ｄが形成されており、切欠き１４ｃは、この環状溝部１４ｄに交差する位置まで形成されている。これにより、支持部１４は、環状溝部１４ｄの内側において、弾性変形により軸心方向へ変位可能となっており、支持部１４の変位が底面１２ｂの全体に及ぶことが防止されている。
本実施形態では、環状溝部１４ｄが周方向に連続する溝であるものを示したが、これに限られることはなく、例えば、円弧状で周方向に所定間隔を置いて形成された溝であってもよい。
【００２６】
カバー部材１５は、凹所１２に対応した円板状を呈しており、図３（ｂ）に示すように、クリップ１６で凹所１２の支持部１４に取り付けられる。支持部１４に取り付けられた状態で、カバー部材１５は、その外周縁部１５ｄが凹所１２の内壁面１２ａに対して若干の隙間を有するように配置されるようになっている。これによって、カバー部材１５は、支持部１４の弾性変形を利用して凹所１２の内側に入り込むようにして揺動可能となっている。
【００２７】
カバー部材１５の中央部には、支持部１４に向けて有底円筒状に凹設された取付部１５ａが設けられている。取付部１５ａの底部１５ｂには、クリップ１６のピン１６ｂが挿通されて係止される係止孔１５ｃが形成されている。
底部１５ｂの下面は、支持部１４の折返し部１４ｂに対応して平らに形成されており、これによってカバー部材１５は、支持部１４に取り付けられた状態で、凹所１２の開口縁にカバー部材１５の外周縁部１５ｄが周方向全体に対峙するようにして、凹所１２を均一に閉じる姿勢となる。
また、カバー部材１５は、その任意位置の一箇所が指で押圧されると、支持部１４の前記した軸心方向への変位によって支持部１４（取付部１５ａ）を中心（支点）として揺動し、凹所１２の開口縁（糸巻１１）との間に、釣針等の付属物Ｆの挿通用隙間Ｓを形成する姿勢となる（図５参照）。また、押圧している指を離すと、支持部１４の弾性による復元力でカバー部材１５が凹所１２を閉じる元の姿勢に戻される。
【００２８】
カバー部材１５の上面には、指掛け用の湾曲凹状の凹部１７が形成されている。凹部１７は、カバー部材１５の周方向に等間隔を置いて計３つ形成されている。
また、カバー部材１５の上面は、図３（ｂ）（ｃ）に示すように、中央部に向けて上方へ膨出している。
また、カバー部材１５において隣接する凹部１７，１７同士の間には、図４に示すように、凹所１２のガイド部１３に係止される係止手段としての半円凹状の案内部１８が形成されている。
【００２９】
案内部１８は、凹所１２の支持部１４にカバー部材１５が取り付けられた状態において、凹所１２のガイド部１３に対して、カバー部材１５の揺動を可能とする隙間をもって対峙するようになっている（図３（ｂ）参照）。これによって、カバー部材１５は、糸巻１１（仕掛巻本体１０）の軸心方向に移動可能かつカバー部材１５の径方向に移動不能となっている。つまり、カバー部材１５の上面における任意位置を指で押圧すると、凹所１２における３つのガイド部１３のうち、押圧した箇所の近くに位置する１つまたは２つのガイド部１３に沿って案内部１８が係止状態を維持しながら移動する。これによって、カバー部材１５が支持部１４を中心として回転不能に揺動することとなる。
【００３０】
クリップ１６は、樹脂材から形成されており、図４に示すように、円板状のフランジ１６ａと、このフランジ１６ａに立設された半割状のピン１６ｂとを有している。このようなクリップ１６は、凹所１２の支持部１４の下側から支持部１４の内空に挿入され、支持部１４の係止孔１４ｅ、およびカバー部材１５の取付部１５ａの係止孔１５ｃに対してピン１６ｂが弾性的に挿入される。これによって、フランジ１６ａとピン１６ｂの頭部との間に、支持部１４の折返し部１４ｂとカバー部材１５の取付部１５ａの底部１５ｂとが挟持されるようになっている。
【００３１】
ここで、カバー部材１５の取付部１５ａの底部１５ｂの外径Ｄ３は、図３（ｂ）に示すように、凹所１２の支持部１４の折返し部１４ｂの外径Ｄ４よりも大きく形成されている。これにより、クリップ１６によって、支持部１４に取付部１５ａが連結された状態では、折返し部１４ｂの上面の周縁よりも径方向外側に底部１５ｂの下面がはみ出すように位置し、これによって、折返し部１４ｂの上面に底部１５ｂの下面が確実に当接する状態となる。したがって、カバー部材１５を押圧したときの操作力が取付部１５ａから支持部１４に確実に伝達されるようになり、支持部１４が弾性変形により軸心方向へ好適に変位する。これにより、カバー部材１５のスムーズな揺動を実現することができる。
【００３２】
ケース２０は、図２に示すように、一体的に形成された基部としての下蓋２１と蓋部としての上蓋２２とを備えており、ヒンジ部２４を介して開閉可能に形成されている。なお、下蓋２１を略平板状に形成して、これに被さるように上蓋２２を形成してケース２０を構成してもよし、下蓋２１と上蓋２２とを任意の形状に形成してもよい。
【００３３】
下蓋２１の内面の中央部には、仕掛巻本体１０を回転可能に保持するための円筒軸２１ａが形成されている。円筒軸２１ａは、糸巻１１の支持部１４の内空に挿入可能な大きさを有している。
【００３４】
ケース２０は、ヒンジ部２４に向けて窄まるように延設された延設部２１ｄを有しており、この延設部２１ｄにおいて下蓋２１に係合部材２３が取り付けられている。係合部材２３は、円筒軸２１ａへ向けて突出する板ばね状の係合片２３ａを有している。この係合片２３ａは、仕掛巻本体１０のフランジ部１１ｂの外周部に弾力をもって当接可能であり、フランジ部１１ｂの縦リブ１１ｅに対して係合するようになっている。
これによって、ケース２０内に取り付けられた仕掛巻本体１０が自由に回転することが抑制されるようになっている。なお、係合片２３ａと縦リブ１１ｅとの係合は、仕掛巻本体１０を回転させるために指で回転方向に力を加えたときに、仕掛巻本体１０の回転を妨げない程度の係合となるように設定されている。
【００３５】
上蓋２２には、下蓋２１の円筒軸２１ａと同心円状に形成された開口部２５が設けられている。開口部２５は、図１に示すように、下蓋２１に上蓋２２を閉じてケース２０内に仕掛巻本体１０を収容した状態で、カバー部材１５の略全体（軸心方向から見て外周縁部１５ｄを除く略全体が）が外部に臨む大きさを有しており、また、前記したように、開口部２５は、下蓋２１の円筒軸２１ａと同心円状とされているので、ケース２０内に仕掛巻本体１０が保持された状態では、開口部２５とカバー部材１５とが同心円状に位置することとなる。
【００３６】
さらに、図３（ａ）に示すように、開口部２５の内径Ｄ１は、カバー部材１５の外径Ｄ２よりも小さくなっている。つまり、図３（ｂ）にも示すように、開口部２５の内周縁部２５ａがカバー部材１５の外周縁部１５ｄよりも周方向全体にわたって径方向内側に位置するようになっている。したがって、ケース２０内に仕掛巻本体１０が収容された状態では、図３（ｃ）に示すように、開口部２５の内周縁部２５ａに抑えられて（当接して）カバー部材１５の揺動が規制されるようになっている。
【００３７】
また、カバー部材１５の上面と、開口部２５の内周縁部２５ａ（内周縁部２５ａの下端部）とは、糸巻１１の軸心方向に間隔Ｌ１を空けて配置されるように構成されている。これにより、開口部２５の内周縁部２５ａが、カバー部材１５の上面から間隔Ｌ１分、上方に位置することとなり、仕掛巻本体１０を指で回転操作するための回転操作ガイドとして機能することとなる。
【００３８】
なお、上蓋２２の端部には、図２に示すように、下蓋２１の係止部２１ｂに係止されるフック部２２ｂが設けられている。また、上蓋２２の周壁には、フック部２２ｂを挟んで、釣糸の引き出し巻き取りを可能とする引き出し孔２２ａが左右一対設けられている。この引き出し孔２２ａを通じて、ケース２０を閉じた状態においても、仕掛けの釣糸の引き出しや巻き取りを好適に行うことができる。
また、図３（ｂ）に示すように、下蓋２１と上蓋２２との組付け面には、インロー部２１ｃ，２２ｃがそれぞれ形成されている。
【００３９】
以上のように構成された釣用仕掛巻を用いて仕掛けを巻回する場合には、仕掛巻本体１０をケース２０から取り出した状態で、図５に示すように、上下方向から掴み、カバー部材１５の任意の位置を指で押圧してカバー部材１５を支持部１４（図４参照）を中心として揺動させる。
そうすると、カバー部材１５の指で押圧した部分と径方向反対となる側が糸巻１１のフランジ部１１ａ（開口縁）から浮き上がり、この状態で生じた挿通用隙間Ｓを通じて、釣針や錘等の付属物Ｆを凹所１２内に収容する。
【００４０】
そして、付属物Ｆに連結されている釣糸を、近くにあるいずれかの連通溝１１ｄを通じて凹所１２から外部に引き出し、これを糸巻１１の溝部１１ｃに巻回する。この巻回操作に際して、別の付属物Ｆが近付いてきたら、その度に、前記した操作によって挿通用隙間Ｓを生じさせ、凹所１２内にその付属物Ｆを収容する。特に、例えば、鮎の友釣り用の仕掛けのように鼻環、背針、逆針等の複数の付属物Ｆを有する仕掛けでは、これらを順に凹所１２に収容しながら釣糸を巻き付けることができるので、使い勝手がよい。
【００４１】
最後の付属物Ｆを収容したら、ケース２０を空けて下蓋２１に仕掛巻本体１０を装着し、釣糸をケース２０の引き出し孔２２ａに通すようにして、上蓋２２を閉じる。
【００４２】
その後、上蓋２２の開口部２５を通じて、仕掛巻本体１０のカバー部材１５の凹部１７に指を掛け、仕掛巻本体１０を回転操作して、糸巻１１に釣糸を巻き取る。この際、開口部２５の内周縁部２５ａに指を当てるようにしながら内周縁部２５ａに沿って指を移動させることができる。
【００４３】
なお、糸巻１１に釣糸を巻き取ったら、釣糸の端部を糸巻１１の連通溝１１ｄに挿通して固定してもよいし、固定することなくケース２０内に巻き取ったまま収容しておいてもよい。
【００４４】
以上説明した本実施形態の釣用仕掛巻によれば、カバー部材１５は、凹所１２の支持部１４を中心として揺動可能かつ支持部１４周りに回転不能に設けられているので、押圧操作時に糸巻１１に対してカバー部材１５が回転してしまうことがなくなり、押圧操作時のカバー部材１５の安定性がよくなる。したがって、釣針等の付属物Ｆの収容および引き出しが簡単で行い易く、使い勝手のよい釣用仕掛巻が得られる。
【００４５】
また、上蓋２２に設けられた開口部２５の内径Ｄ１は、カバー部材１５の外径Ｄ２よりも小さくなっており、ケース２０内に仕掛巻本体１０が収容された状態では、開口部２５の内周縁部２５ａに抑えられてカバー部材１５の揺動が規制されることとなるので、糸巻１１との間に付属物Ｆの挿通用隙間Ｓが生じることがなくなり、凹所１２内に収容された仕掛けの付属物Ｆである釣針等が凹所１２から脱落してしまうのを好適に防止できる。また、付属物Ｆが凹所１２から脱落してしまうのを防止できるので、糸巻１１に巻き付けられた釣糸が解け難くなり、ケース２０内に仕掛巻本体１０が収容されていることと相俟って釣糸が外れて脱落してしまうのを好適に防止することができる。
【００４６】
また、カバー部材１５と開口部２５の内周縁部２５ａとが、糸巻１１の軸心方向に間隔Ｌ１を空けて配置され、開口部２５の内周縁部２５ａが、仕掛巻本体１０を指で回転操作するための回転操作ガイドとして機能するので、開口部２５の内周縁部２５ａに指を当てるようにしながら内周縁部２５ａに沿うようにして指を移動させることができ、仕掛巻本体１０の回転操作が行い易い。
これによって、糸巻１１に釣糸をスムーズに巻き付けることができる。したがって使い勝手のよい釣用仕掛巻が得られる。
【００４７】
また、係止手段をなす案内部１８が、ガイド部１３に対して糸巻１１の軸心方向に移動可能かつカバー部材１５の径方向に移動不能に係止し、カバー部材１５が径方向に移動不能である状態を維持したままカバー部材１５の揺動が許容されて、糸巻１１との間に付属物Ｆの挿通用隙間Ｓが形成されることとなるので、押圧操作時のカバー部材１５の安定性がよくなり、釣針等の付属物Ｆの収容および引き出しが簡単で行い易い。したがって使い勝手のよい釣用仕掛巻が得られる。
【００４８】
図６は本実施形態の釣用仕掛巻の変形例を示す縦断面図であり、この変形例では、カバー部材１５の上面に開口部２５の内周縁部２５ａが当接する状態で、ケース２０内に仕掛巻本体１０が収容されるようになっている。
【００４９】
この釣用仕掛巻では、カバー部材１５の上面に開口部２５の内周縁部２５ａが当接しているので、カバー部材１５の揺動が確実に抑えられ、凹所１２内に収容された仕掛けの付属物Ｆである釣針等が凹所１２から脱落するのを確実に防止できる。
また、ケース２０内における仕掛巻本体１０の保持性が高まり、回転操作時の剛性感や操作感が高まる。
また、前記した間隔Ｌ１を有していないので、上下方向の小型化を図ることができる。
【００５０】
なお、前記実施形態では、凹所１２に半円突状のガイド部１３を設け、カバー部材１５に半円凹状の案内部１８を設けたが、これに限られることはなく、凹所１２に糸巻１１の軸心方向に延びる半円凹状の縦溝（ガイド部）を設け、カバー部材１５にこの縦溝に挿入されて係止される半円突片状の案内部を設けてもよい。
【００５１】
また、ガイド部１３、案内部１８の形状や数、凹部１７の形状や数は任意に設定することができる。
また、クリップ１６の材質については、特に限定されることはないが、弾性を有する材料、例えば、合成ゴムや樹脂材、ばね等を用いてもよい。
さらに、カバー部材１５の全体、あるいはカバー部材１５の取付部１５ａを弾性を有する材料で構成してもよい。
また、仕掛巻本体１０やケース２０は、その一部または全体を透孔性を有する材料で形成することにより、内部の視認性を高めることができる。
【符号の説明】
【００５２】
１０    仕掛巻本体
１１    糸巻
１１ｄ  連通溝
１２    凹所
１２ａ  内壁面
１２ｂ  底面
１３    ガイド部
１５    カバー部材
１５ｃ  係止孔
１５ｄ  外周縁部
１８    案内部
２０    ケース
２５    開口部
２５ａ  内周縁部
Ｆ      付属物
Ｌ１    間隔
Ｓ      挿通用隙間
【図１】
2012152162.tif 000003
【図２】
2012152162.tif 000004
【図３】
2012152162.tif 000005
【図４】
2012152162.tif 000006
【図５】
2012152162.tif 000007
【図６】
2012152162.tif 000008